(57)【要約】【課題】１つの画素だけに注目してこの画素を変換対象とするか否かを判定する場合と比べて、変換したい画像が残存することを抑制する。【解決手段】画像処理部１０は、複数の画素データを含む画像データを取得する画像データ取得部１１と、ユーザによって指定された、除去すべき対象となる特定色を受け付ける受付部１２と、受け付けた特定色と、画像データから取得した注目画素および注目画素の周辺に位置する複数の周辺画素の画素データとを用いて、注目画素が除去対象（変換対象）であるか否かを判定する変換対象判定部１５と、画像データ取得部１１が取得した画像データに対し、変換対象判定部１５による判定結果を用いて、画素を単位として、特定色を除去するための画像変換処理を行う画像変換部１６とを備える。【選択図】図１
2019186873.tif 000002
【特許請求の範囲】
【請求項１】
それぞれが色情報を含む複数の画素データを有する画像データに対して設定される、変換すべき対象色を受け付ける受付手段と、
受け付けた前記対象色と、前記画像データから取得した注目画素および当該注目画素の周辺に位置する複数の周辺画素の画素データとを用いて、当該注目画素が変換対象か否かを判定する判定手段と、
前記注目画素が変換対象である場合に、当該注目画素の画素データに予め定められた処理を施す処理手段と
を備える画像処理装置。
【請求項２】
前記判定手段は、前記注目画素が前記対象色でない場合に、当該注目画素といずれかの前記周辺画素とを組み合わせることで当該対象色が構成されるときには、当該注目画素を変換対象とする、請求項１記載の画像処理装置。
【請求項３】
前記判定手段は、前記注目画素が前記対象色でない場合に、当該注目画素とすべての前記周辺画素とを組み合わせても当該対象色が構成されないときには、当該注目画素を変換対象としない、請求項１または２記載の画像処理装置。
【請求項４】
前記判定手段は、前記注目画素が前記対象色である場合に、当該注目画素といずれかの前記周辺画素とを組み合わせることで当該対象色とは異なる非対象色が構成されるときには、当該注目画素を変換対象としない、請求項１乃至３のいずれか１項記載の画像処理装置。
【請求項５】
前記判定手段は、前記注目画素が前記対象色である場合に、当該注目画素といずれかの前記周辺画素とを組み合わせることで当該対象色とは異なる非対象色が構成されないときには、当該注目画素を変換対象とする、請求項１乃至４のいずれか１項記載の画像処理装置。
【請求項６】
前記対象色が第１の一次色および第２の一次色を含む混合色であった場合に、当該対象色を含み且つ当該第１の一次色および当該第２の一次色を含まない第１の色相範囲と、当該第１の色相範囲を含み且つ当該第１の一次色から当該第２の一次色へと至る第２の色相範囲とを設定する設定手段をさらに備え、
前記設定手段は、前記注目画素の色相が前記第２の色相範囲内にあり、当該注目画素の色相が前記第１の一次色よりも前記第２の一次色に近い場合に、当該第１の一次色から前記第１の色相範囲に至る第３の色相範囲をさらに設定し、
前記判定手段は、前記注目画素の色相が前記第３の色相範囲内にある場合に、当該注目画素を変換対象とする、請求項１記載の画像処理装置。
【請求項７】
前記判定手段は、前記注目画素の色相が前記第３の色相範囲外にある場合に、当該注目画素を変換対象としない、請求項６記載の画像処理装置。
【請求項８】
前記判定手段は、前記注目画素の色相が前記第１の色相範囲内にある場合に、当該注目画素を変換対象とする、請求項６または７記載の画像処理装置。
【請求項９】
前記判定手段は、前記注目画素の色相が前記第２の色相範囲外にある場合に、当該注目画素を変換対象としない、請求項６乃至８のいずれか１項記載の画像処理装置。
【請求項１０】
前記対象色が一次色であった場合に、当該対象色を含み且つ当該対象色と他の一次色とで構成される第１の二次色および当該対象色とさらに他の一次色とで構成される第２の二次色を含まない第１の色相範囲を設定する設定手段をさらに備え、
前記判定手段は、前記注目画素の色相が前記第１の色相範囲内にあり、且つ、いずれかの周辺画素の色相が当該第１の色相範囲外にある場合に、当該注目画素を変換対象としない、請求項１記載の画像処理装置。
【請求項１１】
前記判定手段は、前記注目画素の色相が前記第１の色相範囲内にあり、且つ、いずれかの周辺画素の色相が当該第１の色相範囲内にある場合に、当該注目画素を変換対象とする、請求項１０記載の画像処理装置。
【請求項１２】
前記判定手段は、前記注目画素の色相が前記第１の色相範囲外にある場合に、当該注目画素を変換対象としない、請求項１０または１１記載の画像処理装置。
【請求項１３】
複数の一次色の網点画像で構成された画像データに対して設定される、変換すべき対象色を受け付ける受付手段と、
前記対象色が第１の一次色および第２の一次色を含む混合色であり、且つ、前記画像データにおける特定の領域の範囲内に当該第１の一次色と当該第２の一次色とが存在する場合に、当該特定の領域を変換する変換手段と
を備える画像処理装置。
【請求項１４】
前記変換手段は、前記特定の領域の範囲内に前記第１の一次色が存在し且つ前記第２の一次色が存在しない場合、または、当該特定の領域の範囲内に前記第２の一次色が存在し且つ前記第１の一次色が存在しない場合に、当該特定の領域を変換しない、請求項１３記載の画像処理装置。
【請求項１５】
前記変換手段は、前記特定の領域の範囲内に前記第１の一次色と前記第２の一次色との混合色が存在する場合に、当該特定の領域を変換する、請求項１３または１４記載の画像処理装置。
【請求項１６】
前記変換手段は、前記特定の領域の範囲内に第３の一次色が存在する場合、前記第１の一次色と当該第３の一次色とが存在する場合、前記第２の一次色と当該第３の一次色とが存在する場合、前記第１の一次色と当該第３の一次色との混合色が存在する場合、あるいは、前記第２の一次色と当該第３の一次色との混合色が存在する場合に、当該特定の領域を変換しない、請求項１３乃至１５のいずれか１項記載の画像処理装置。
【請求項１７】
複数の一次色の網点画像で構成された画像データに対して設定される、変換すべき対象色を受け付ける受付手段と、
前記対象色が第１の一次色であり、且つ、前記画像データにおける特定の領域の範囲内に当該第１の一次色と第２の一次色とが存在する場合に、当該特定の領域を変換せず、当該特定の領域の範囲内に当該第１の一次色が存在し且つ当該第２の一次色が存在しない場合に、当該特定の領域を変換する変換手段と
を備える画像処理装置。
【請求項１８】
前記変換手段は、前記特定の領域の範囲内に前記第１の一次色が存在しない場合に、当該特定の領域を変換しない、請求項１７記載の画像処理装置。
【請求項１９】
前記変換手段は、前記特定の領域の範囲内に前記第１の一次色と前記第２の一次色との混合色が存在する場合に、当該特定の領域を変換しない、請求項１７記載の画像処理装置。
【請求項２０】
コンピュータに、
それぞれが色情報を含む複数の画素データを有する画像データに対して設定される、変換すべき対象色を受け付ける機能と、
受け付けた前記対象色と、前記画像データから取得した注目画素および当該注目画素の周辺に位置する複数の周辺画素の画素データとを用いて、当該注目画素が変換対象か否かを判定する機能と、
前記注目画素が変換対象である場合に、当該注目画素の画素データに予め定められた処理を施す機能と
を実現させるためのプログラム。
【請求項２１】
コンピュータに、
複数の一次色の網点画像で構成された画像データに対して設定される、変換すべき対象色を受け付ける機能と、
前記対象色が第１の一次色と第２の一次色とを混合してなる混合色であり、且つ、前記画像データにおける特定の領域の範囲内に当該第１の一次色と当該第２の一次色とが存在する場合に、当該特定の領域を変換対象にすると決定する機能と
を実現させるためのプログラム。
【請求項２２】
コンピュータに、
複数の一次色の網点画像で構成された画像データに対して設定される、変換すべき対象色を受け付ける機能と、
前記対象色が第１の一次色であり、且つ、前記画像データにおける特定の領域の範囲内に当該第１の一次色と第２の一次色とが存在する場合に、当該特定の領域を変換対象にしないと決定する機能と
を実現させるためのプログラム。
【発明の詳細な説明】
【技術分野】
【０００１】
本発明は、画像処理装置およびプログラムに関する。
【背景技術】
【０００２】
特許文献１には、認識可能な色空間を複数の色空間領域に分割し、各色空間領域の代表色を表示する概略カラーパレット表示手段と、カラーパレットの任意の領域を選択する領域選択手段と、領域選択手段により選択された選択領域を拡張または縮小する領域範囲指定手段と、領域範囲指定手段により拡張または縮小された領域を選択領域として決定する選択領域決定手段と、画像データに対し、選択領域決定手段によって選択決定された領域に含まれる色の画素データを所定の画素データに置換処理する画素データ変換手段とを備えた画像処理装置が記載されている。
【先行技術文献】
【特許文献】
【０００３】
【特許文献１】特開２００８−１９３６２０号公報
【発明の概要】
【発明が解決しようとする課題】
【０００４】
カラー画像が複数の一次色の網点画像の組み合わせによって構成される場合に、例えば特定の一次色と他の一次色とを含む二次色の画像の領域を変換しようとすると、特定の一次色と他の一次色とが重なることによって二次色を呈している部位は変換することができる。しかしながら、この二次色の画像の領域のうち、特定の一次色または他の一次色が単独で存在する部位は変換することができず、この二次色の画像の領域が、変色した状態で残存することになる。
本発明は、１つの画素だけに注目してこの画素を変換対象とするか否かを判定する場合と比べて、変換したい画像が残存することを抑制することを目的とする。
【課題を解決するための手段】
【０００５】
請求項１記載の発明は、それぞれが色情報を含む複数の画素データを有する画像データに対して設定される、変換すべき対象色を受け付ける受付手段と、受け付けた前記対象色と、前記画像データから取得した注目画素および当該注目画素の周辺に位置する複数の周辺画素の画素データとを用いて、当該注目画素が変換対象か否かを判定する判定手段と、前記注目画素が変換対象である場合に、当該注目画素の画素データに予め定められた処理を施す処理手段とを備える画像処理装置である。
請求項２記載の発明は、前記判定手段は、前記注目画素が前記対象色でない場合に、当該注目画素といずれかの前記周辺画素とを組み合わせることで当該対象色が構成されるときには、当該注目画素を変換対象とする、請求項１記載の画像処理装置である。
請求項３記載の発明は、前記判定手段は、前記注目画素が前記対象色でない場合に、当該注目画素とすべての前記周辺画素とを組み合わせても当該対象色が構成されないときには、当該注目画素を変換対象としない、請求項１または２記載の画像処理装置である。
請求項４記載の発明は、前記判定手段は、前記注目画素が前記対象色である場合に、当該注目画素といずれかの前記周辺画素とを組み合わせることで当該対象色とは異なる非対象色が構成されるときには、当該注目画素を変換対象としない、請求項１乃至３のいずれか１項記載の画像処理装置である。
請求項５記載の発明は、前記判定手段は、前記注目画素が前記対象色である場合に、当該注目画素といずれかの前記周辺画素とを組み合わせることで当該対象色とは異なる非対象色が構成されないときには、当該注目画素を変換対象とする、請求項１乃至４のいずれか１項記載の画像処理装置である。
請求項６記載の発明は、前記対象色が第１の一次色および第２の一次色を含む混合色であった場合に、当該対象色を含み且つ当該第１の一次色および当該第２の一次色を含まない第１の色相範囲と、当該第１の色相範囲を含み且つ当該第１の一次色から当該第２の一次色へと至る第２の色相範囲とを設定する設定手段をさらに備え、前記設定手段は、前記注目画素の色相が前記第２の色相範囲内にあり、当該注目画素の色相が前記第１の一次色よりも前記第２の一次色に近い場合に、当該第１の一次色から前記第１の色相範囲に至る第３の色相範囲をさらに設定し、前記判定手段は、前記注目画素の色相が前記第３の色相範囲内にある場合に、当該注目画素を変換対象とする、請求項１記載の画像処理装置である。
請求項７記載の発明は、前記判定手段は、前記注目画素の色相が前記第３の色相範囲外にある場合に、当該注目画素を変換対象としない、請求項６記載の画像処理装置である。
請求項８記載の発明は、前記判定手段は、前記注目画素の色相が前記第１の色相範囲内にある場合に、当該注目画素を変換対象とする、請求項６または７記載の画像処理装置である。
請求項９記載の発明は、前記判定手段は、前記注目画素の色相が前記第２の色相範囲外にある場合に、当該注目画素を変換対象としない、請求項６乃至８のいずれか１項記載の画像処理装置である。
請求項１０記載の発明は、前記対象色が一次色であった場合に、当該対象色を含み且つ当該対象色と他の一次色とで構成される第１の二次色および当該対象色とさらに他の一次色とで構成される第２の二次色を含まない第１の色相範囲を設定する設定手段をさらに備え、前記判定手段は、前記注目画素の色相が前記第１の色相範囲内にあり、且つ、いずれかの周辺画素の色相が当該第１の色相範囲外にある場合に、当該注目画素を変換対象としない、請求項１記載の画像処理装置である。
請求項１１記載の発明は、前記判定手段は、前記注目画素の色相が前記第１の色相範囲内にあり、且つ、いずれかの周辺画素の色相が当該第１の色相範囲内にある場合に、当該注目画素を変換対象とする、請求項１０記載の画像処理装置である。
請求項１２記載の発明は、前記判定手段は、前記注目画素の色相が前記第１の色相範囲外にある場合に、当該注目画素を変換対象としない、請求項１０または１１記載の画像処理装置である。
請求項１３記載の発明は、複数の一次色の網点画像で構成された画像データに対して設定される、変換すべき対象色を受け付ける受付手段と、前記対象色が第１の一次色および第２の一次色を含む混合色であり、且つ、前記画像データにおける特定の領域の範囲内に当該第１の一次色と当該第２の一次色とが存在する場合に、当該特定の領域を変換する変換手段とを備える画像処理装置である。
請求項１４記載の発明は、前記変換手段は、前記特定の領域の範囲内に前記第１の一次色が存在し且つ前記第２の一次色が存在しない場合、または、当該特定の領域の範囲内に前記第２の一次色が存在し且つ前記第１の一次色が存在しない場合に、当該特定の領域を変換しない、請求項１３記載の画像処理装置である。
請求項１５記載の発明は、前記変換手段は、前記特定の領域の範囲内に前記第１の一次色と前記第２の一次色との混合色が存在する場合に、当該特定の領域を変換する、請求項１３または１４記載の画像処理装置である。
請求項１６記載の発明は、前記変換手段は、前記特定の領域の範囲内に第３の一次色が存在する場合、前記第１の一次色と当該第３の一次色とが存在する場合、前記第２の一次色と当該第３の一次色とが存在する場合、前記第１の一次色と当該第３の一次色との混合色が存在する場合、あるいは、前記第２の一次色と当該第３の一次色との混合色が存在する場合に、当該特定の領域を変換しない、請求項１３乃至１５のいずれか１項記載の画像処理装置である。
請求項１７記載の発明は、複数の一次色の網点画像で構成された画像データに対して設定される、変換すべき対象色を受け付ける受付手段と、前記対象色が第１の一次色であり、且つ、前記画像データにおける特定の領域の範囲内に当該第１の一次色と第２の一次色とが存在する場合に、当該特定の領域を変換せず、当該特定の領域の範囲内に当該第１の一次色が存在し且つ当該第２の一次色が存在しない場合に、当該特定の領域を変換する変換手段とを備える画像処理装置である。
請求項１８記載の発明は、前記変換手段は、前記特定の領域の範囲内に前記第１の一次色が存在しない場合に、当該特定の領域を変換しない、請求項１７記載の画像処理装置である。
請求項１９記載の発明は、前記変換手段は、前記特定の領域の範囲内に前記第１の一次色と前記第２の一次色との混合色が存在する場合に、当該特定の領域を変換しない、請求項１７記載の画像処理装置である。
請求項２０記載の発明は、コンピュータに、それぞれが色情報を含む複数の画素データを有する画像データに対して設定される、変換すべき対象色を受け付ける機能と、受け付けた前記対象色と、前記画像データから取得した注目画素および当該注目画素の周辺に位置する複数の周辺画素の画素データとを用いて、当該注目画素が変換対象か否かを判定する機能と、前記注目画素が変換対象である場合に、当該注目画素の画素データに予め定められた処理を施す機能とを実現させるためのプログラム。
請求項２１記載の発明は、コンピュータに、複数の一次色の網点画像で構成された画像データに対して設定される、変換すべき対象色を受け付ける機能と、前記対象色が第１の一次色と第２の一次色とを混合してなる混合色であり、且つ、前記画像データにおける特定の領域の範囲内に当該第１の一次色と当該第２の一次色とが存在する場合に、当該特定の領域を変換対象にすると決定する機能とを実現させるためのプログラムである。
請求項２２記載の発明は、コンピュータに、複数の一次色の網点画像で構成された画像データに対して設定される、変換すべき対象色を受け付ける機能と、前記対象色が第１の一次色であり、且つ、前記画像データにおける特定の領域の範囲内に当該第１の一次色と第２の一次色とが存在する場合に、当該特定の領域を変換対象にしないと決定する機能とを実現させるためのプログラムである。
【発明の効果】
【０００６】
請求項１記載の発明によれば、１つの画素だけに注目してこの画素を変換対象とするか否かを判定する場合と比べて、変換したい画像が残存することを抑制することができる。
請求項２記載の発明によれば、注目画素が対象色でない場合に、注目画素といずれかの周辺画素とを組み合わせることで対象色が構成されるときに、注目画素を変換対象としない場合と比べて、変換したい画像が残存することを抑制することができる。
請求項３記載の発明によれば、注目画素が対象色でない場合に、注目画素とすべての周辺画素とを組み合わせても対象色が構成されないときに、注目画素を変換対象とする場合と比べて、変換したくない画像が変換されることを抑制することができる。
請求項４記載の発明によれば、注目画素が対象色である場合に、注目画素といずれかの周辺画素とを組み合わせることで対象色とは異なる非対象色が構成されるときに、注目画素を変換対象とする場合と比べて、変換したくない画像が変換されることを抑制することができる。
請求項５記載の発明によれば、注目画素が対象色である場合に、注目画素といずれかの周辺画素とを組み合わせることで対象色とは異なる非対象色が構成されないときに、注目画素を変換対象としない場合と比べて、変換したい画像が残存することを抑制することができる。
請求項６記載の発明によれば、注目画素の色相が第３の色相範囲内にある場合に、注目画素を変換対象としない場合と比べて、変換したい画像が残存することを抑制することができる。
請求項７記載の発明によれば、注目画素の色相が第３の色相範囲外にある場合に、注目画素を変換対象とする場合と比べて、変換したくない画像が変換されることを抑制することができる。
請求項８記載の発明によれば、注目画素の色相が第１の色相範囲内にある場合に、注目画素を変換対象としない場合と比べて、変換したい画像が残存することを抑制することができる。
請求項９記載の発明によれば、注目画素の色相が第２の色相範囲外にある場合に、注目画素を変換対象とする場合と比べて、変換したくない画像が変換されることを抑制することができる。
請求項１０記載の発明によれば、注目画素の色相が第１の色相範囲内にあり、且つ、いずれかの周辺画素の色相が第１の色相範囲外にある場合に、注目画素を変換対象とする場合と比べて、変換したくない画像が変換されることを抑制することができる。
請求項１１記載の発明によれば、注目画素の色相が第１の色相範囲内にあり、且つ、いずれかの周辺画素の色相が第１の色相範囲内にある場合に、注目画素を変換対象としない場合と比べて、変換したい画像が残存することを抑制することができる。
請求項１２記載の発明によれば、注目画素の色相が第１の色相範囲外にある場合に、注目画素を変換対象とする場合と比べて、変換したくない画像が変換されることを抑制することができる。
請求項１３記載の発明によれば、１つの画素だけに注目してこの画素を変換対象とするか否かを判定する場合と比べて、変換したい画像が残存することを抑制することができる。
請求項１４記載の発明によれば、特定の領域の範囲内に第１の一次色が存在し且つ第２の一次色が存在しない場合、または、当定の領域の範囲内に第２の一次色が存在し且つ第１の一次色が存在しない場合に、特定の領域を変換対象にする場合と比べて、変換したくない画像が変換されることを抑制することができる。
請求項１５記載の発明によれば、特定の領域の範囲内に第１の一次色と第２の一次色との混合色が存在する場合に、特定の領域を変換対象としない場合と比べて、変換したい画像が残存することを抑制することができる。
請求項１６記載の発明によれば、特定の領域の範囲内に第３の一次色が存在する場合、第１の一次色と第３の一次色とが存在する場合、第２の一次色と第３の一次色とが存在する場合、第１の一次色と第３の一次色との混合色が存在する場合、あるいは、第２の一次色と第３の一次色との混合色が存在する場合に、特定の領域を変換対象にする場合と比べて、変換したくない画像が変換されることを抑制することができる。
請求項１７記載の発明によれば、１つの画素だけに注目してこの画素を変換対象とするか否かを判定する場合と比べて、変換したい画像が残存することを抑制することができる。
請求項１８記載の発明によれば、特定の領域の範囲内に第１の一次色が存在しない場合に、特定の領域を変換対象にする場合と比べて、変換したくない画像が変換されることを抑制することができる。
請求項１９記載の発明によれば、特定の領域の範囲内に第１の一次色と第２の一次色との混合色が存在する場合に、特定の領域を変換対象にする場合と比べて、変換したくない画像が変換されることを抑制することができる。
請求項２０記載の発明によれば、１つの画素だけに注目してこの画素を変換対象とするか否かを判定する場合と比べて、変換したい画像が残存することを抑制することができる。
請求項２１記載の発明によれば、１つの画素だけに注目してこの画素を変換対象とするか否かを判定する場合と比べて、変換したい画像が残存することを抑制することができる。
請求項２２記載の発明によれば、１つの画素だけに注目してこの画素を変換対象とするか否かを判定する場合と比べて、変換したい画像が残存することを抑制することができる。
【図面の簡単な説明】
【０００７】
【図１】画像処理装置の全体構成を示す図である。
【図２】特定色除去処理の手順を示すフローチャート（メインルーチン）である。
【図３】第１判定処理の手順を示すフローチャート（サブルーチン）である。
【図４】第２判定処理の手順を示すフローチャート（サブルーチン）である。
【図５】（ａ）〜（ｃ）は、特定色除去処理の対象となる画像データの構成例を示す図である。
【図６】特定色除去処理で用いられる注目画素および周辺画素の関係を示す図である。
【図７】第１判定処理で用いられる第１の色相範囲を説明するための図である。
【図８】第２判定処理で用いられる第１〜第３の色相範囲を説明するための図である。
【発明を実施するための形態】
【０００８】
以下、添付図面を参照して、本発明の実施の形態について詳細に説明する。
［画像処理装置］
図１は、本実施の形態の画像処理装置の全体構成を示す図である。
この画像処理装置１は、画像データに処理を施す画像処理部１０と、ユーザから画像データの処理に関する指示等を受け付けるとともに、ユーザに対して各種情報を表示するユーザインタフェース部（ＵＩ部）２０とを備えている。そして、本実施の形態の画像処理装置１は、処理対象となる画像データに対し、ユーザより、ユーザが除去したい特定の色（以下では「特定色」と称する）を受け付け、画像データから特定色を除去する、『特定色除去処理』を行う。ここで、本実施の形態における特定色は、対象色の一例である。
【０００９】
［画像処理部］
画像処理部１０は、画像データ取得部１１と、受付部１２と、一次色判定部１３と、色相範囲設定部１４と、変換対象判定部１５と、画像変換部１６とを備えている。
【００１０】
（画像データ取得部）
画像データ取得部１１は、処理の対象となる画像データを取得する。ここで、本実施の形態の画像データは複数の画素データで構成されており、各画素データはＣＭＹＫ（Ｃ（シアン）、Ｍ（マゼンタ）、Ｙ（イエロー）、Ｋ（黒））の色情報を有しているものとする。なお、図１は、画像処理部１０の外部から画像データを取得する例を示しているが、例えば画像処理部１０の内部に画像データを記憶する記憶装置を設けておき、この記憶装置から画像データを取得するようにしてもよい。
【００１１】
（受付部）
受付手段の一例としての受付部１２は、ＵＩ部２０を介して、ユーザから特定色に関する指示を受け付ける。ここで、本実施の形態における特定色は、色味のある有彩色を含み、色味のない無彩色は含まない。
【００１２】
（一次色判定部）
一次色判定部１３は、受け付けた特定色が一次色であるか否かを判定する。ここで、本実施の形態における一次色は、減法混色における三原色、すなわち、Ｃ（シアン）、Ｍ（マゼンタ）、Ｙ（イエロー）の三色である。そして、これらＣ（シアン）、Ｍ（マゼンタ）およびＹ（イエロー）は、それぞれ、第１の一次色、第２の一次色および第３の一次色の一例となり得る。
【００１３】
（色相範囲設定部）
設定手段の一例としての色相範囲設定部１４は、特定色の色に応じて、変換対象判定部１５で用いられる色相範囲を設定する。ここで、本実施の形態では、一次色判定部１３による特定色の判定結果が、一次色であった場合と一次色ではなかった場合（非一次色であった場合）とで、色相範囲設定部１４が設定する色相範囲の内容が異なるのであるが、その詳細については後述する。
【００１４】
（変換対象判定部）
判定手段の一例としての変換対象判定部１５は、色相範囲設定部１４が設定した色相範囲を用い、画像データ取得部１１が取得した画像データに対し、画素を単位として、特定色に起因する変換対象であるか否か（除去対象であるか否か）を判定する。ここで、本実施の形態では、注目する画素（「注目画素」と称する）と、この注目画素の周辺に位置する複数の画素（「周辺画素」と称する）とを用いて、注目画素が変換対象であるか否かの判定を行うのであるが、その詳細については後述する。
【００１５】
（画像変換部）
処理手段あるいは変換手段の一例としての画像変換部１６は、画像データ取得部１１が取得した画像データに対し、変換対象判定部１５による判定結果を用いて、画素を単位として、特定色を除去するための画像変換処理を行う。なお、図１は、画像処理部１０の外部に画像変換処理後の画像データを出力する例を示しているが、例えば画像処理部１０の内部に画像データを記憶する記憶装置を設けておき、この記憶装置に画像変換処理後の画像データを格納するようにしてもよい。
【００１６】
（画像処理部を構成するハードウェア）
本実施の形態の画像処理部１０は、図示しないＣＰＵ（Central Processing Unit）と、図示しないＲＯＭ（Read Only Memory）と、図示しないＲＡＭ（Random Access Memory）とを備える。ＣＰＵでは、処理プログラムが実行される。ＲＯＭには、各種プログラム、各種テーブル、パラメータ等が記憶されている。ＲＡＭは、ＣＰＵによる各種プログラムの実行時におけるワークエリアや、ＣＰＵによる各処理の結果を保持するエリアとして用いられる。
【００１７】
［ＵＩ部］
ＵＩ部２０は、ユーザによる操作を受け付ける操作受付部と、ユーザに対して各種情報を表示する表示部とを備えており、例えばタッチパネルで構成される。
【００１８】
［特定色除去処理］
次に、本実施の形態の画像処理装置１が実行する、特定色除去処理について説明を行う。
（主処理）
図２は、本実施の形態における特定色除去処理の手順を示すフローチャート（メインルーチン）である。なお、以下に示す手順は、画像処理部１０が実行するプログラムとして把握することができる。
【００１９】
画像データ取得部１１が、例えば画像処理装置１の外部（画像読取装置やコンピュータ装置など）から画像データを取得すると（ステップ１０）、受付部１２は、ＵＩ部２０を介して、特定色除去モードの指定を受け付けたか否かを判断する（ステップ２０）。
【００２０】
ステップ２０において否定の判断（Ｎｏ）を行った場合は、特定色除去モードを実行することなく、処理を終了する。一方、ステップ２０において肯定の判断（Ｙｅｓ）を行った場合、受付部１２は、ＵＩ部２０を介して、除去対象となる特定色を取得する（ステップ３０）。
【００２１】
そして、一次色判定部１３は、ステップ３０で取得した特定色が一次色であるか否かを判断する（ステップ４０）。ステップ４０で肯定の判断（Ｙｅｓ）を行った場合、すなわち、特定色が一次色であった場合、画像処理部１０は第１判定処理を実行する（ステップ５０）。一方、ステップ４０で否定の判断（Ｎｏ）を行った場合、すなわち、特定色が一次色以外（例えば二次色）であった場合、画像処理部２０は第２判定処理を実行する（ステップ６０）。ここで、ステップ５０およびステップ６０では、画像データを構成する画素を単位として、除去対象とするか否かの判定を行うのであるが、それぞれの詳細については後述する。
【００２２】
そして、ステップ５０またはステップ６０を実行した後、画像変換部１６は、ステップ１０で取得した、元となる画像データに対し、ステップ５０またはステップ６０での判定結果に基づき、除去対象であると判定された画素に対しては、例えば白色への変換を行い、除去対象ではない（非除去対象である）と判定された画素に対しては変換を行わない、変換処理を実行する（ステップ７０）。以上により、一連の処理が完了する。
【００２３】
（第１判定処理）
図３は、特定色除去処理における第１判定処理（ステップ５０）の手順を示すフローチャート（サブルーチン）である。この第１判定処理は、上述したように、特定色が一次色であった場合に実行される。
【００２４】
第１判定処理では、色相範囲設定部１４が、ステップ３０で取得した特定色に基づき、特定色を含む第１の色相範囲を設定する（ステップ５１）。なお、第１の色相範囲の詳細については後述する。
【００２５】
続いて、変換対象判定部１５は、ステップ１０で取得した画像データから、除去対象であるか否かの判定対象となる注目画素およびこの注目画素の周囲に位置する周辺画素の各画素データを取得する（ステップ５２）。
【００２６】
そして、変換対象判定部１５は、ステップ５２で取得した注目画素の色が、ステップ５１で設定した第１の色相範囲内にあるか否かを判断する（ステップ５３）。ステップ５３で肯定の判断（Ｙｅｓ）を行った場合、変換対象判定部１５は、次に、ステップ５２で取得した周辺画素に、第１の色相範囲外且つ白色以外の画素があるか否かを判断する（ステップ５４）。ステップ５４で否定の判断（Ｎｏ）を行った場合、変換対象判定部１５は、今回の注目画素を、除去する対象となる除去対象画素であると判定する（ステップ５５）。これに対し、ステップ５３で否定の判断（Ｎｏ）を行った場合およびステップ５４で肯定の判断（Ｙｅｓ）を行った場合、変換対象判定部１５は、今回の注目画素を、除去する対象としない（除去しない対象とする）非除去対象画素であると判定する（ステップ５６）。
【００２７】
ステップ５５あるいはステップ５６で、今回の注目画素に対する判定を行った後、変換対象判定部１５は、ステップ１０で取得した画像データに、次の注目画素があるか否かを判断する（ステップ５７）。ステップ５７で否定の判断（Ｎｏ）を行った場合、換言すれば、画像データを構成するすべての画素に対する判定処理が終了している場合は、図２に示す主処理へと戻る。一方、ステップ５７で肯定の判断（Ｙｅｓ）を行った場合、換言すれば、画像データを構成するすべての画素に対する判定処理が終了していない場合は、ステップ５２に戻って第１判定処理を続行する。
【００２８】
（第２判定処理）
図４は、特定色除去処理における第２判定処理（ステップ６０）の手順を示すフローチャート（サブルーチン）である。この第１判定処理は、上述したように、特定色が一次色以外であった場合に実行される。
【００２９】
第２判定処理では、色相範囲設定部１４が、ステップ３０で取得した特定色に基づき、特定色を含む第１の色相範囲、および、第１の色相範囲を含む第２の色相範囲を設定する（ステップ６１）、なお、第１の色相範囲および第２の色相範囲の詳細については後述する。
【００３０】
続いて、変換対象判定部１５は、ステップ１０で取得した画像データから、除去対象であるか否かの判定対象となる注目画素およびこの注目画素の周囲に位置する周辺画素の各画素データを取得する（ステップ６２）。
【００３１】
そして、変換対象判定部１５は、ステップ６２で取得した注目画素の色が、ステップ６１で設定した第１の色相範囲内にあるか否かを判断する（ステップ６３）。ステップ６３で否定の判断（Ｎｏ）を行った場合、変換対象判定部１５は、次に、この注目画素の色が、ステップ６１で設定した第２の色相範囲内にあるか否かを判断する（ステップ６４）。
【００３２】
ステップ６４で肯定の判断（Ｙｅｓ）を行った場合、色相範囲設定部１４は、ステップ６２で取得した注目画素の色に基づき、第１の色相範囲と第２の色相範囲の一部とを含む第３の色相範囲を設定する（ステップ６５）。なお、第３の色相範囲の詳細については後述する。
【００３３】
次いで、変換対象判定部１５は、ステップ６２で取得した周辺画素に、ステップ６５で設定した第３の色相範囲内の画素があるか否かを判断する（ステップ６６）。
【００３４】
ステップ６３で肯定の判断（Ｙｅｓ）を行った場合およびステップ６６で肯定の判断（Ｙｅｓ）を行った場合、変換対象判定部１５は、今回の注目画素を、除去対象画素であると判定する（ステップ６７）。これに対し、ステップ６４で否定の判断（Ｎｏ）を行った場合およびステップ６６で否定の判断（Ｎｏ）を行った場合、変換対象判定部１５は、今回の注目画素を、非除去対象画素であると判定する（ステップ６８）。
【００３５】
ステップ６７あるいはステップ６８で、今回の注目画素に対する判定を行った後、変換対象判定部１５は、ステップ１０で取得した画像データに、次の注目画素があるか否かを判断する（ステップ６９）。ステップ６９で否定の判断（Ｎｏ）を行った場合は、図２に示す主処理へと戻る。一方、ステップ６９で肯定の判断（Ｙｅｓ）を行った場合は、ステップ６２に戻って第２判定処理を続行する。
【００３６】
［画像データ］
図５は、特定色除去処理の対象となる画像データ１００の構成例を示す図である。
（全体構造）
図５（ａ）は、画像データ１００の全体構造の一例を示している。
図５（ａ）に示す例において、画像データ１００は、白（Ｗ）色を呈し且つ背景となる背景領域１１０と、シアン（Ｃ）色を呈するＣ色領域１２０と、マゼンタ（Ｍ）色を呈するＭ色領域１３０と、イエロー（Ｙ）色を呈するＹ色領域１４０と、黒（Ｋ）色を呈するＫ色領域１５０と、赤（Ｒ）色を呈するＲ色領域１６０と、緑（Ｇ）色を呈するＧ色領域１７０と、青（Ｂ）色を呈するＢ色領域１８０とを有している。ここで、本実施の形態では、Ｃ色領域１２０、Ｍ色領域１３０、Ｙ色領域１４０、Ｋ色領域１５０、Ｒ色領域１６０、Ｇ色領域１７０およびＢ色領域１８０のそれぞれが、網点で階調表現を行う網点画像で構成されている。また、本実施の形態において、シアン、マゼンタおよびイエローの３色は一次色であり、赤（＝イエロー＋マゼンタ）、緑（＝イエロー＋シアン）および青（マゼンタ＋シアン）の３色は二次色である。
【００３７】
（一次色領域の構造）
また、図５（ｂ）は、１つの一次色（ここではマゼンタ）で構成された、Ｍ色領域１３０の局所構造の一例を示している。
図５（ｂ）に示す例において、Ｍ色領域１３０は、マゼンタを呈する複数の網点（図中には「Ｍ」と表記）と、白色を呈する領域（図中には「Ｗ」と表記）とを有している。このように、網点画像の場合、一次色の領域（Ｃ色領域１２０、Ｍ色領域１３０およびＹ色領域１４０）は、自色（一次色）の網点の他に、白色の領域を有していることがある。
【００３８】
なお、Ｃ色領域１２０は、シアンを呈する複数の網点と、白色を呈する領域とを有している。また、Ｙ色領域１４０は、イエローを呈する複数の網点と、白色を呈する領域とを有している。さらに、Ｋ色領域１５０は、黒を呈する複数の網点と、白色を呈する領域とを有している。
【００３９】
（二次色領域の構造）
さらに、図５（ｃ）は、２つの一次色（ここではマゼンタおよびシアン）で構成された、Ｂ色領域１８０の局所構造の一例を示している。
図５（ｃ）に示す例において、Ｂ色領域１８０は、青を呈する複数の網点（図中には「Ｂ」と表記）と、マゼンタを呈する複数の網点（図中には「Ｍ」と表記）と、シアンを呈する複数の網点（図中には「Ｃ」と表記）と、白色を呈する領域（図中には「Ｗ」と表記）とを有している。ここで、青を呈する網点は、マゼンタを呈する網点とシアンを呈する網点とが重なることよって形成されている。このように、網点画像の場合、二次色の領域（Ｒ色領域１６０、Ｇ色領域１７０およびＢ色領域１８０）は、自色（二次色）の網点の他に、自色を構成する一方の一次色の網点および他方の一次色の網点を有していることがあり、さらに、白色の領域を有していることがある。なお、ここでは、２つの一次色を１対１の比率で含む二次色の領域を例として説明を行っているが、２つの一次色を１対１以外の比率で含む混合色の領域においても、二次色の網点と、一方の一次色の網点および他方の一次色の網点と、白色の領域とを有していることがあり得る。
【００４０】
なお、Ｒ色領域１６０は、赤を呈する複数の網点と、イエローを呈する複数の網点と、マゼンタを呈する複数の網点と、白色を呈する領域とを有している。また、Ｇ色領域１７０は、シアンを呈する複数の網点と、イエローを呈する複数の網点と、白色を呈する領域とを有している。
【００４１】
以下では、各色の網点を、それぞれ、Ｃ色網点、Ｍ色網点、Ｙ色網点、Ｋ色網点、Ｒ色網点、Ｇ色網点、Ｂ色網点、と称することがある。
【００４２】
［注目画素および周辺画素について］
図６は、上述した特定色除去処理で用いられる注目画素２１０および周辺画素２２０の関係を示す図である。
図６に示す例において、周辺画素２２０は、注目画素２１０の周辺に位置する複数（この例では８個）の画素で構成される。そして、対象となる注目画素２１０が変われば、これに付随して、対象となる周辺画素２２０も変わる。以下の説明においては、注目画素２１０と複数の周辺画素２２０とを含む領域を、判定対象領域２００と称する。ここで、単数の注目画素２１０と複数の周辺画素２２０とを含む判定対象領域２００は、特定の領域の一例である。
【００４３】
なお、図５（ｂ）、（ｃ）に示す各色の網点の大きさと、図６に示す注目画素２１０および各周辺画素２２０の大きさとは、必ずしも一致しない。ただし、以下では、説明を簡略化するため、図５（ｂ）、（ｃ）に示す各色画素の大きさと、図６に示す注目画素２１０および各周辺画素２２０の大きさとが、一致している場合を例として説明を行う。
【００４４】
［第１判定処理で用いられる色相範囲］
図７は、図３に示す第１判定処理で用いられる第１の色相範囲の一例を説明するための図である。すなわち、図７は、特定色がシアン、マゼンタあるいはイエローからなる一次色の場合における、第１の色相範囲を示している。この第１の色相範囲は、図３に示すステップ５１で決定される。
【００４５】
なお、図７には、２４色を代表色とする色相を示しているが、実際には、これらの色に境界はなく連続している。また、図７に示す例では、一次色であるシアン、マゼンタ、イエローが、色相環におけるｇＢ（緑みの青）、ＲＰ（赤紫）、Ｙ（黄）の範囲内に位置しているものとする。さらに、この例では、二次色である赤、緑、青が、色相環におけるｙＲ（黄みの赤）、ｙＧ（黄みの緑）、ｐＢ（紫みの青）の範囲内に位置しているものとする。これらについては、後述する図８においても同様である。
【００４６】
（特定色がシアンの場合）
まず、特定色がシアンの場合の第１の色相範囲は、シアンを含み且つマゼンタおよびイエローを含まない、Ｃ色系第１の色相範囲Ａ１ｃに設定される。なお、図７に示す例では、Ｃ色系第１の色相範囲Ａ１ｃが、色相環におけるｇＢ（緑みの青）の範囲と一致しているが、図に示す例より狭めてもかまわないし、マゼンタおよびイエローを含まない範囲であれば、図に示す例より広めてもかまわない。
【００４７】
（特定色がマゼンタの場合）
また、特定色がマゼンタの場合の第１の色相範囲は、マゼンタを含み且つイエローおよびシアンを含まない、Ｍ色系第１の色相範囲Ａ１ｍに設定される。なお、図７に示す例では、Ｍ色系第１の色相範囲Ａ１ｍが、色相環におけるＲＰ（赤紫）の範囲と一致しているが、図に示す例より狭めてもかまわないし、イエローおよびシアンを含まない範囲であれば、図に示す例より広めてもかまわない。
【００４８】
（特定色がイエローの場合）
さらに、特定色がイエローの場合の第１の色相範囲は、イエローを含み且つシアンおよびマゼンタを含まない、Ｙ色系第１の色相範囲Ａ１ｙに設定される。なお、図７に示す例では、Ｙ色系第１の色相範囲Ａ１ｙが、色相環におけるＹ（黄）の範囲と一致しているが、図に示す例より狭めてもかまわないし、シアンおよびマゼンタを含まない範囲であれば、図に示す例より広めてもかまわない。
【００４９】
［第２判定処理で用いられる色相範囲］
図８は、図４に示す第２判定処理で用いられる第１〜第３の色相範囲の一例を説明するための図である。すなわち、図８は、特定色がシアン、マゼンタあるいはイエロー以外からなる非一次色の場合における、第１〜第３の色相範囲を示している。これらのうち、第１の色相範囲および第２の色相範囲は、図４に示すステップ６１で決定され、第３の色相範囲は、図４に示すステップ６５で決定される。ただし、図８は、特定色が赤、緑あるいは青からなる二次色の場合における、第１〜第３の色相範囲を例示している。ここで、非一次色は、ある一次色と他の一次色との混合色として定められる。
【００５０】
（特定色が赤の場合）
まず、特定色が赤の場合の第１の色相範囲は、赤を含み且つマゼンタおよびイエローを含まない、Ｒ色系第１の色相範囲Ａ１ｒに設定される。なお、図８に示す例では、Ｒ色系第１の色相範囲Ａ１ｒが、色相環におけるｙＲ（黄みの赤）の範囲と一致しているが、図に示す例より狭めてもかまわないし、マゼンタおよびイエローを含まない範囲であれば、図に示す例より広めてもかまわない。また、図８に示す例では、特定色が赤（二次色）となっているが、特定色がマゼンタとイエローとの混合色の場合、Ｒ色系第１の色相範囲Ａ１ｒは、この混合色を含むように設定される。
【００５１】
また、特定色が赤の場合の第２の色相範囲は、Ｒ色系第１の色相範囲Ａ１ｒを含み且つマゼンタからイエローへと至る、Ｒ色系第２の色相範囲Ａ２ｒに設定される。なお、Ｒ色系第２の色相範囲Ａ２ｒは、どの領域にＲ色系第１の色相範囲Ａ１ｒが設定されるかとは関係なく、常に、マゼンタからイエローに至る範囲に設定される。
【００５２】
さらに、特定色が赤の場合の第３の色相範囲は、Ｒ色系第２の色相範囲Ａ２ｒのうち、マゼンタ側に偏倚したＲ色系Ｍ色側第３の色相範囲Ａ３ｒｍまたはイエロー側に偏倚したＲ色系Ｙ色側第３の色相範囲Ａ３ｒｙに設定される。ここで、Ｒ色系Ｍ色側第３の色相範囲Ａ３ｒｍは、マゼンタからＲ色系第１の色相範囲Ａ１ｒに至る範囲に設定される。また、Ｒ色系Ｙ色側第３の色相範囲Ａ３ｒｙは、Ｒ色系第１の色相範囲Ａ１ｒからイエローに至る範囲に設定される。
【００５３】
（特定色が緑の場合）
次に、特定色が緑の場合の第１の色相範囲は、緑を含み且つイエローおよびシアンを含まない、Ｇ色系第１の色相範囲Ａ１ｇに設定される。なお、図８に示す例では、Ｇ色系第１の色相範囲Ａ１ｇが、色相環におけるｙＧ（黄みの緑）の範囲と一致しているが、図に示す例より狭めてもかまわないし、イエローおよびシアンを含まない範囲であれば、図に示す例より広めてもかまわない。また、図８に示す例では、特定色が緑（二次色）となっているが、特定色がイエローとシアンとの混合色の場合、Ｇ色系第１の色相範囲Ａ１ｇは、この混合色を含むように設定される。
【００５４】
また、特定色が緑の場合の第２の色相範囲は、Ｇ色系第１の色相範囲Ａ１ｇを含み且つイエローからシアンへと至る、Ｇ色系第２の色相範囲Ａ２ｇに設定される。なお、Ｇ色系第２の色相範囲Ａ２ｇは、どの領域にＧ色系第１の色相範囲Ａ１ｇが設定されるかとは関係なく、常に、イエローからシアンに至る範囲に設定される。
【００５５】
さらに、特定色が緑の場合の第３の色相範囲は、Ｇ色系第２の色相範囲Ａ２ｇのうち、イエロー側に偏倚したＧ色系Ｙ色側第３の色相範囲Ａ３ｇｙまたはシアン側に偏倚したＧ色系Ｃ色側第３の色相範囲Ａ３ｇｃに設定される。ここで、Ｇ色系Ｙ色側第３の色相範囲Ａ３ｇｙは、イエローからＧ色系第１の色相範囲Ａ１ｇに至る範囲に設定される。また、Ｇ色系Ｙ色側第３の色相範囲Ａ３ｇｃは、Ｇ色系第１の色相範囲Ａ１ｇからシアンに至る範囲に設定される。
【００５６】
（特定色が青の場合）
続いて、特定色が青の場合の第１の色相範囲は、青を含み且つシアンおよびマゼンタを含まない、Ｂ色系第１の色相範囲Ａ１ｂに設定される。なお、図８に示す例では、Ｂ色系第１の色相範囲Ａ１ｂが、色相環におけるｐＢ（紫みの青）の範囲と一致しているが、図に示す例より狭めてもかまわないし、シアンおよびマゼンタを含まない範囲であれば、図に示す例より広めてもかまわない。また、図８に示す例では、特定色が青（二次色）となっているが、特定色がシアンとマゼンタとの混合色の場合、Ｒ色系第１の色相範囲Ａ１ｒは、この混合色を含むように設定される。
【００５７】
また、特定色が緑の場合の第２の色相範囲は、Ｂ色系第１の色相範囲Ａ１ｂを含み且つシアンからマゼンタへと至るＢ色系第２の色相範囲Ａ２ｂに設定される。なお、Ｂ色系第２の色相範囲Ａ２ｂは、どの領域にＢ色系第１の色相範囲Ａ１ｂが設定されるかとは関係なく、常に、シアンからマゼンタに至る範囲に設定される。
【００５８】
さらに、特定色が青の場合の第３の色相範囲は、Ｂ色系第２の色相範囲Ａ２ｂのうち、シアン側に偏倚したＢ色系Ｃ色側第３の色相範囲Ａ３ｂｃまたはマゼンタ側に変位したＢ色系Ｍ色側第３の色相範囲Ａ３ｂｍに設定される。ここで、Ｂ色系Ｃ色側第３の色相範囲Ａ３ｂｃは、シアンからＢ色系第１の色相範囲Ａ１ｂに至る範囲に設定される。また、Ｂ色系Ｍ色側第３の色相範囲Ａ３ｂｍは、Ｂ色系第１の色相範囲Ａ１ｂからマゼンタに至る範囲に設定される。
【００５９】
［具体例］
では、具体例を挙げつつ、本実施の形態の特定色除去処理について説明を行う。なお、ここでは、図５（ａ）に示す画像データ１００に対し、特定色として一次色が指定された場合に実行される第１判定処理（第１の例：図３参照）と、特定色として非一次色が指定された場合に実行される第２判定処理（第２の例：図４参照）とについて、順に説明を行う。
【００６０】
（第１の例）
第１の例では、特定色としてマゼンタ（一次色）が指定された場合の処理について説明を行う。
第１の例の場合、図２に示す特定色除去処理のメインルーチンにおいて、図３に示す第１判定処理のサブルーチンが実行される。
【００６１】
〔背景領域〕
最初に、背景領域１１０内に注目画素が設定された場合について説明を行う。ここで、背景領域１１０は全域が白色領域で構成される。
背景領域１１０において、注目画素が白色領域で構成される場合、この注目画素は、第１判定処理で非除去対象画素となる（Ｓ５３でＮｏ）。
【００６２】
〔Ｍ色領域〕
次に、Ｍ色領域１３０内に注目画素が設定された場合について説明を行う。ここで、Ｍ色領域１３０は、Ｍ色網点と、白色領域とを含んで構成される（図５（ｂ）参照）。
Ｍ色領域１３０において、注目画素にＭ色網点が存在する場合、この注目画素は、第１判定処理で除去対象画素となる（Ｓ５３でＹｅｓ→Ｓ５４でＮｏ）。
また、Ｍ色領域１３０において、注目画素が白色領域で構成される場合（Ｍ色網点が存在しない場合）、この注目画素は、第１判定処理で非除去対象画素となる（Ｓ５３でＮｏ）。
【００６３】
〔Ｃ色領域〕
続いて、Ｃ色領域１２０内に注目画素が設定された場合について説明を行う。ここで、Ｃ色領域１２０は、Ｃ色網点と、白色領域とを含んで構成される。
Ｃ色領域１２０において、注目画素にＣ色網点が存在する場合、この注目画素は、第１判定処理で非除去対象画素となる（Ｓ５３でＮｏ）。
また、Ｃ色領域１２０において、注目画素が白色領域で構成される場合（Ｃ色網点が存在しない場合）、この注目画素は、第１判定処理で非除去対象画素となる（Ｓ５３でＮｏ）。
なお、ここでは詳細な説明は行わないが、Ｍ色網点を含まないＹ色領域１４０およびＫ色領域１５０についても、Ｃ色領域１２０と同様の結果が得られる。
【００６４】
〔Ｂ色領域〕
次いで、Ｂ色領域１８０内に注目画素が設定された場合について説明を行う。ここで、Ｂ色領域１８０は、Ｂ色網点と、Ｍ色網点と、Ｃ色網点と、白色領域とを含んで構成される（図５（ｃ）参照）。
Ｂ色領域１８０において、注目画素にＢ色網点が存在する場合、この注目画素は、第１判定処理で非除去対象画素となる（Ｓ５３でＮｏ）。
また、Ｂ色領域１８０において、注目画素にＭ色網点が存在する場合、この注目画素は、第１判定処理で非除去対象画素となる（Ｓ５３でＹｅｓ→Ｓ５４でＮｏ）。なお、これは、Ｍ色網点を含む注目画素の周辺に、Ｂ色網点を含む周辺画素やＣ色網点を含む周辺画素が存在していることに起因している。
また、Ｂ色領域１８０において、注目画素にＣ色網点が存在する場合、この注目画素は、第１判定処理で非除去対象画素となる（Ｓ５３でＮｏ）。
また、Ｂ色領域１８０において、注目画素が白色領域で構成される場合（Ｂ色網点、Ｍ色網点およびＣ色網点が存在しない場合）、この注目画素は、第１判定処理で非除去対象画素となる（Ｓ５３でＮｏ）。
なお、ここでは詳細な説明を行わないが、Ｍ色網点と他の一次色網点とを含むＲ色領域１６０についても、Ｂ色領域１８０と同様の結果が得られる。
【００６５】
〔Ｇ色領域〕
最後に、Ｇ色領域１７０内に注目画素が設定された場合について説明を行う。ここで、Ｇ色領域１７０は、Ｇ色網点と、Ｃ色網点と、Ｙ色網点と、白色領域とを含んで構成される。
Ｇ色領域１７０において、注目画素にＧ色網点が存在する場合、この注目画素は、第１判定処理で非除去対象画素となる（Ｓ５３でＮｏ）。
また、Ｇ色領域１７０において、注目画素にＣ色網点が存在する場合、この注目画素は、第１判定処理で非除去対象画素となる（Ｓ５３でＮｏ）。
また、Ｇ色領域１７０において、注目画素にＹ色網点が存在する場合、この注目画素は、第１判定処理で非除去対象画素となる（Ｓ５３でＮｏ）。
また、Ｇ色領域１７０において、注目画素が白色領域で構成される場合（Ｇ色網点、Ｃ色網点およびＹ色網点が存在しない場合）、この注目画素は、第１判定処理で非除去対象画素となる（Ｓ５３でＮｏ）。
【００６６】
〔第１の具体例の結果〕
図５（ａ）に示す画像データ１００に対し、マゼンタを特定色とした特定色除去処理を施すことにより、Ｍ色領域１３０の全域が背景領域１１０と同じ白色領域となる。このとき、Ｍ色領域１３０では、Ｍ色網点を含む画素が除去対象画素となり、白色領域で構成される（Ｍ色網点を含まない）画素が非除去対象画素となる。ただし、Ｍ色領域１３０における非除去対象画素は、元々白色を呈するものであることから、Ｍ色領域１３０の全域が白色になる。
【００６７】
また、画像データ１００に対し、マゼンタを特定色とした特定色除去処理を施した後も、Ｍ色領域１３０を除いた、Ｃ色領域１２０、Ｙ色領域１４０、Ｋ色領域１５０、Ｒ色領域１６０、Ｇ色領域１７０およびＢ色領域１８０は、そのままの状態を維持する。ここで、Ｒ色領域１６０およびＢ色領域１８０は、特定色（マゼンタ）を呈するＭ色網点を含む画素を有しているが、これらは除去対象画素とはならないため、Ｒ色領域１６０およびＢ色領域１８０に色味の変化は生じない。
【００６８】
（第２の例）
第２の例では、特定色として青（非一次色：ここでは二次色）が指定された場合の処理の処理について説明を行う。ここで、青は、マゼンタとシアンとの混合色である。
第２の例の場合、図２に示す特定色除去処理のメインルーチンにおいて、図４に示す第２判定処理のサブルーチンが実行される。
【００６９】
〔背景領域〕
最初に、背景領域１１０内に注目画素が設定された場合について説明を行う。ここで、背景領域１１０は全域が白色領域で構成される。
背景領域１１０において、注目画素が白色領域で構成される場合、この注目画素は、第２判定処理で非除去対象画素となる（Ｓ６３でＮｏ→Ｓ６４でＮｏ）。
【００７０】
〔Ｍ色領域〕
次に、Ｍ色領域１３０内に注目画素が設定された場合について説明を行う。ここで、Ｍ色領域１３０は、Ｍ色網点と、白色領域とを含んで構成される（図５（ｂ）参照）。
Ｍ色領域１３０において、注目画素にＭ色網点が存在する場合、この注目画素は、第２判定処理で非除去対象画素となる（Ｓ６３でＮｏ→Ｓ６４でＹｅｓ→Ｓ６６でＮｏ）。なお、これは、Ｍ色網点を含む注目画素の周辺に、Ｂ色網点を含む周辺画素やＣ色網点を含む周辺画素が存在していないことに起因している。
また、Ｍ色領域１３０において、注目画素が白色領域で構成される場合（Ｍ色網点が存在しない場合）、この注目画素は、第２判定処理で非除去対象画素となる（Ｓ６３でＮｏ→Ｓ６４でＮｏ）。
なお、ここでは詳細な説明を行わないが、Ｃ色網点を含むＣ色領域１２０についても、Ｍ色領域１３０と同様の結果が得られる。
【００７１】
〔Ｙ色領域〕
続いて、Ｙ色領域１４０内に注目画素が設定された場合について説明を行う。ここで、Ｙ色領域１４０は、Ｙ色網点と、白色領域とを含んで構成される。
Ｙ色領域１４０において、注目画素にＹ色網点が存在する場合、この注目画素は、第２判定処理で非除去対象画素となる（Ｓ６３でＮｏ→Ｓ６４でＮｏ）。
また、Ｙ色領域１４０において、注目画素が白色領域で構成される場合（Ｙ色網点が存在しない場合）、この注目画素は、第２判定処理で非除去対象画素となる（Ｓ６３でＮｏ→Ｓ６４でＮｏ）。
なお、ここでは詳細な説明は行わないが、Ｍ色網点およびＣ色網点を含まないＫ色領域１５０についても、Ｙ色領域１４０と同様の結果が得られる。
【００７２】
〔Ｂ色領域〕
次いで、Ｂ色領域１８０内に注目画素が設定された場合について説明を行う。ここで、Ｂ色領域１８０は、Ｂ色網点と、Ｍ色網点と、Ｃ色網点と、白色領域とを含んで構成される（図５（ｃ）参照）。
Ｂ色領域１８０において、注目画素にＢ色網点が存在する場合、この注目画素は、第２判定処理で除去対象画素となる（Ｓ６３でＹｅｓ）。
また、Ｂ色領域１８０において、注目画素にＭ色網点が存在する場合、この注目画素は、第２判定処理で除去対象画素となる（Ｓ６３でＮｏ→Ｓ６４でＹｅｓ→Ｓ６６でＹｅｓ）。なお、これは、Ｍ色網点を含む注目画素の周辺に、Ｂ色網点を含む周辺画素やＣ色網点を含む周辺画素が存在していることに起因している。
また、Ｂ色領域１８０において、注目画素にＣ色網点が存在する場合、この注目画素は、第２判定処理で除去対象画素となる（Ｓ６３でＮｏ→Ｓ６４でＹｅｓ→Ｓ６６でＹｅｓ）。なお、これは、Ｃ色網点を含む注目画素の周辺に、Ｂ色網点を含む周辺画素やＭ色網点を含む周辺画素が存在していることに起因している。
また、Ｂ色領域１８０において、注目画素が白色領域で構成される場合（Ｂ色網点、Ｍ色網点およびＣ色網点が存在しない場合）、この注目画素は、第２判定処理で非除去対象画素となる（Ｓ６３でＮｏ→Ｓ６４でＮｏ）。
【００７３】
〔Ｒ色領域〕
最後に、Ｒ色領域１６０内に注目画素が設定された場合について説明を行う。ここで、Ｒ色領域１６０は、Ｒ色網点と、Ｙ色網点と、Ｍ色網点と、白色領域とを含んで構成される。
Ｒ色領域１６０において、注目画素にＲ色網点が存在する場合、この注目画素は、第２判定処理で非除去対象画素となる（Ｓ６３でＮｏ→Ｓ６４でＮｏ）。
また、Ｒ色領域１６０において、注目画素にＹ色網点が存在する場合、この注目画素は、第２判定処理で非除去対象画素となる（Ｓ６３でＮｏ→Ｓ６４でＮｏ）。
また、Ｒ色領域１６０において、注目画素にＭ色網点が存在する場合、この注目画素は、第２判定処理で非除去対象画素となる（Ｓ６３でＮｏ→Ｓ６４でＹｅｓ→Ｓ６６でＮｏ）。これは、Ｍ色網点を含む注目画素の周辺に、Ｂ色網点を含む周辺画素やＣ色網点を含む周辺画素が存在していないことに起因している。
また、Ｒ色領域１６０において、注目画素が白色領域で構成される場合（Ｒ色網点、Ｙ色網点およびＭ色網点が存在しない場合）、この注目画素は、第２判定処理で非除去対象画素となる（Ｓ６３でＮｏ→Ｓ６４でＮｏ）。
なお、ここでは詳細な説明を行わないが、Ｍ色網点と他の一次色網点とを含むＧ色領域１７０についても、Ｒ色領域１６０と同様の結果が得られる。
【００７４】
〔第２の具体例の結果〕
図５（ａ）に示す画像データ１００に対し、青を特定色とした特定色除去処理を施すことにより、Ｂ色領域１８０の全域が背景領域と同じ白色領域となる。このとき、Ｂ色領域１８０では、Ｂ色網点を含む画素だけでなく、Ｍ色網点を含む画素およびＣ色網点を含む画素も除去対象画素となり、白色領域で構成される（Ｒ色網点、Ｍ色網点またはＣ色網点を含まない）画素が非除去対象画素となる。ただし、Ｂ色領域１８０における非除去対象画素は、元々白色を呈するものであることから、Ｂ色領域１８０の全域が白色となる。
【００７５】
また、画像データ１００に対し、青を特定色とした特定色除去処理を施した後も、Ｂ色領域１８０を除いた、Ｃ色領域１２０、Ｍ色領域１３０、Ｙ色領域１４０、Ｋ色領域１５０、Ｒ色領域１６０およびＧ色領域１７０は、そのままの状態を維持する。ここで、Ｍ色領域１３０およびＲ色領域１６０は、特定色（青）を構成するマゼンタを呈するＭ色網点を含む画素を有しているが、これらは除去対象画素とはならないため、Ｍ色領域１３０が除去されたり、Ｒ色領域１６０に色味の変化が生じたりすることはない。また、Ｃ色領域１２０およびＧ色領域１７０は、特定色（青）を構成するシアンを呈するＣ色網点を含む画素を有しているが、これらは除去対象画素とはならないため、Ｃ色領域１２０が除去されたり、Ｇ色領域１７０に色味の変化が生じたりすることはない。
【００７６】
［その他］
なお、本実施の形態では、注目画素２１０の周囲（１周）に存在する８個の画素を、周辺画素２２０としていたが、これに限られるものではなく、例えば注目画素２１０の周囲（２周）に存在する２４個の画素を、周辺画素２２０としてもかまわない。
【００７７】
また、本実施の形態では、注目画素２１０と注目画素２１０の周辺に存在する複数の周辺画素２２０との組み合わせに基づいて、注目画素２１０が除去対象画素であるか否かを判定していたが、これに限られるものではない。例えば、注目画素２１０および複数の周辺画素２２０を含む判定対象領域２００そのものを、除去対象とするか否かを判定するようにしてもよい。このとき、特定色が一次色（例えばマゼンタ）であり、且つ、判定対象領域２００内に、Ｍ色画素およびＹ色画素（これらによって赤を構成）、または、Ｍ色画素およびＣ色画素（これらによって青を構成）が存在する場合には、この判定対象領域２００を非除去対象とすればよい。また、判定対象領域２００内にＭ色画素が存在し、Ｙ色画素やＣ色画素が存在しない場合には、この判定対象領域２００を除去対象とすればよい。さらに、判定対象領域２００内にＭ色画素が存在しない場合には、この判定対象領域２００を非除去対象とすればよい。さらにまた、判定対象領域２００内にＲ色画素またはＣ色画素が存在する場合には、この判定対象領域２００を非除去対象とすればよい。
【符号の説明】
【００７８】
１…画像処理装置、１０…画像処理部、１１…画像データ取得部、１２…受付部、１３…一次色判定部、１４…色相範囲設定部、１５…変換対象判定部、１６…画像変換部、２０…ユーザインタフェース部（ＵＩ部）、１００…画像データ、１１０…背景領域、１２０…Ｃ色領域、１３０…Ｍ色領域、１４０…Ｙ色領域、１５０…Ｋ色領域、１６０…Ｒ色領域、１７０…Ｇ色領域、１８０…Ｂ色領域、２００…判定対象領域、２１０…注目画素、２２０…周辺画素
【図１】
2019186873.tif 000003
【図２】
2019186873.tif 000004
【図３】
2019186873.tif 000005
【図４】
2019186873.tif 000006
【図５】
2019186873.tif 000007
【図６】
2019186873.tif 000008
【図７】
2019186873.tif 000009
【図８】
2019186873.tif 000010